(57)【要約】 【課題】  指示サイズに沿った編地を、試編み無しで編成できるようにする。【構成】  ニットデザインシステムは、カラーモニタと、マニュアル入力装置、及びカラーモニタへの表示とマニュアル入力装置からの入力の解釈とを行う表示制御部を備えている。ニットデザインシステムは、編地の形状を定める形状データ、及び編地のコース方向とウェール方向に沿っての編目のゲージ、及び編組織の入力に基づいて、コース方向及びウェール方向に沿っての、編目の数と、編目の種類、及び編目間の接続関係を指定するデザインデータを出力する。ニットデザインシステムは、出力されるデザインデータあるいは編成データから、編組織により変化する編成後の編地のサイズの演算値を求め、編地の指示サイズと編地のサイズの演算値とを比較し、誤差が小さくなるように、編地の形状データ、デザインデータ、あるいは編成データを修正する。【選択図】     図２
2015175082.tif 000002
【特許請求の範囲】
【請求項１】
カラーモニタと、マニュアル入力装置、及びカラーモニタへの表示とマニュアル入力装置からの入力の解釈とを行う表示制御部を備え、
編地の形状を定める形状データ、及び編地のコース方向とウェール方向に沿っての編目のゲージ、及び編組織の入力に基づいて、コース方向及びウェール方向に沿っての、編目の数と、編目の種類、及び編目間の接続関係を指定するデザインデータを出力するニットデザインシステムにおいて、
出力されるデザインデータあるいは編成データから、編組織により変化する編成後の編地のサイズの演算値を求める演算部と、
編地の形状データと編地のサイズの演算値との比較を行い、誤差が小さくなるように編地の形状データ、デザインデータ、あるいは編成データを修正するデザイン修正部、とを備えていることを特徴とする、ニットデザインシステム。
【請求項２】
ニットデザインシステムは、編地の編目のループ長の設定が自在で、
デザイン修正部は、編地の形状データと、編目の数と、編目のループ長の少なくともいずれかを修正するように構成されている、ことを特徴とする、請求項１のニットデザインシステム。
【請求項３】
演算部は、デザイン修正部が修正したデータに基づき出力されるデザインデータあるいは編成データから、編成後の編地のサイズを再演算するように構成され、
表示制御部は、当初入力した編地の形状データと、演算部が再演算した編成後の編地のサイズとを、カラーモニタに合成表示するように構成されていると共に、
ニットデザインシステムは、修正したデザインデータをマニュアル入力装置によりユーザが承認すると、修正したデザインを出力すると共に、修正したデザインデータをマニュアル入力装置によりユーザがさらに修正できるように構成されている、ことを特徴とする請求項１また２のニットデザインシステム。
【請求項４】
前記出力されるデザインデータと、前記ループ長、及び編機で編成した編地の実測サイズ、を記憶するデータベースをさらに備え、データベースは編地の形状データの入力時あるいはデザインデータの修正時に参照できるように構成されている、ことを特徴とする請求項１〜３のいずれかのニットデザインシステム。
【請求項５】
前記演算部は、
編地のコースに沿っての編目の位置を表すコース方向のグリッドラインを、コース毎に発生させると共に、
編地のウェールに沿っての編目の位置を表すウェール方向のグリッドラインを、ウェール毎に発生させ、
前記ゲージに対応する、表目と表目、あるいは裏目と裏目が接続されている場合の編目のコース方向のピッチ、及び表目と裏目とが接続されている場合の編目のコース方向のピッチを用いて、ウェール方向のグリッドラインに属する編目のピッチの平均値により、ウェール方向のグリッドラインを変形させると共に、    
前記ゲージに対応する、表目と表目、あるいは裏目と裏目が接続されている場合の編目のウェール方向のピッチ、及び表目と裏目とが接続されている場合の編目のウェール方向のピッチを用いて、コース方向のグリッドラインに属する編目のピッチの平均値により、コース方向のグリッドラインを変形させることにより、
編地のサイズの演算値を求めるように構成されている、ことを特徴とする請求項１〜４のいずれかのニットデザインシステム。
【請求項６】
カラーモニタと、マニュアル入力装置、及びカラーモニタへの表示とマニュアル入力装置からの入力の解釈とを行う表示制御部と、編地の形状を定める形状データ、及び編地のコース方向とウェール方向に沿っての編目のゲージ、及び編組織の入力に基づいて、コース方向及びウェール方向に沿っての、編目の数と、編目の種類、及び編目間の接続関係を指定するデザインデータを出力するニットデザイン部、とを有するニットデザインシステムを用いて、編地をデザインするニットデザイン方法において、
出力されるデザインデータあるいは編成データから、編組織により変化する編成後の編地のサイズの演算値をニットデザインシステムの演算部により求めるステップと、
編地の形状データと編地のサイズの演算値との比較を行い、誤差が小さくなるように編地の形状データ、デザインデータ、あるいは編成データをニットデザインシステムのデザイン修正部により修正するステップ、とを行うことを特徴とする、ニットデザイン方法。
【請求項７】
カラーモニタと、マニュアル入力装置、及びカラーモニタへの表示とマニュアル入力装置からの入力の解釈とを行う表示制御部を備え、
編地の形状を定める形状データ、及び編地のコース方向とウェール方向に沿っての編目のゲージ、及び編組織の入力に基づいて、コース方向及びウェール方向に沿っての、編目の数と、編目の種類、及び編目間の接続関係を指定するデザインデータを出力するニットデザインシステムにおいて、
デザインデータあるいは編成データから，編組織により変化する編成後の編地のサイズの演算値を求める演算部と、
演算により求めた編地のサイズと、入力した編地の形状を定める形状データとをカラーモニタに合成表示する表示制御部と、
マニュアル入力装置とを備え、
ユーザが、編地の形状データと編地のサイズの演算値とを比較し、誤差が小さくなるように、マニュアル入力装置により、編地の形状データ、デザインデータ、あるいは編成データを修正できるように構成されている、ことを特徴とするニットデザインシステム。
【発明の詳細な説明】
【技術分野】
【０００１】
この発明はニットデザインに関し、特に目標通りのサイズの編地を、試編み無しで編成することに関する。
【背景技術】
【０００２】
ほぼ指示サイズ通りに編地を編成することは難しい。このため、編地をデザインした後に試編みし、指示サイズとの誤差を小さくするようにデザインを修正することが何度も行われ、これは時間とコストの無駄である。そこで、試編み無しでほぼ指示サイズ通りに編地を編成できるようにすることが、検討されてきた。
【０００３】
特許文献１（JP2676182B）は、ループ長を制御しながら複数の風合いサンプルを編成し、仕上げ加工後に最適な風合いのサンプルを選択することを開示している。そして最適サンプルのループ長に従って編成すると、指示サイズに近く、かつ風合いが良い編地が得られる。しかしながら寄せ等の組織柄のある編地に対しては、特許文献１の手法で、指示サイズに近い編地を編成することは難しい。  
【０００４】
これ以外に、編地の形状を編成データから予測することが検討されてきた。例えば特許文献２（WO2007/013296A）では、個々の編目に加わるテンション、歪み、曲げを計算して、編目の位置を移動させる。特許文献３（JP4237601B）では、上下の編目との距離及び左右の編目との距離が編目のピッチに近づき、かつ左右の編目と編目の向きを揃えるように、編目の位置を移動させる。いずれの手法でも、編地の形状をシミュレーションするには、編地の形状が収束するまで、繰り返し計算することが必要である。またシミュレーションは、編地の相似形状、編目の繋がり具合、等の編地のイメージを把握するためのもので、編地のサイズ自体を求めるためのものではない。言い換えると、実際の編地に相似な形状が得られれば良く、編地のサイズを求めること自体は重視されていない。  
【０００５】
さらに、特許文献４（JP2009-120987A）は、編地の左右で、即ち編幅の一部と残りの部分とで、コース数を変える必要がある際に、コース数の差をウェール方向に沿って分散して配置することを開示している。このことは、本発明において、デザインの修正に利用できる。
【先行技術文献】
【特許文献】
【０００６】
【特許文献１】JP2676182B
【特許文献２】WO2007/013296A
【特許文献３】JP4237601B
【特許文献４】JP2009-120987A
【発明の概要】
【発明が解決しようとする課題】
【０００７】
この発明の課題は、ほぼ指示サイズ通りの編地が編成できるかどうかを予測し、編成できない場合、容易にデザインを修正できるようにして、試編み無しでほぼ指示サイズ通りの編地を編成できるようにすることにある。
この発明の課題は、寄せなどの編組織のある編地に対しても、試編み無しでほぼ指示サイズ通りの編地を編成できるようにすることにある。
【課題を解決するための手段】
【０００８】
この発明では、カラーモニタと、マニュアル入力装置、及びカラーモニタへの表示とマニュアル入力装置からの入力の解釈とを行う表示制御部を備え、編地の指示サイズと形状及び編組織の入力、及び編地のコース方向とウェール方向に沿っての編目のゲージに基づいて、コース方向及びウェール方向に沿っての、編目の数と、編目の種類、及び編目間の接続関係を指定するデザインデータを出力する。
【０００９】
この発明のニットデザインシステムは、
出力されるデザインデータあるいは編成データから、編組織により変化する編成後の編地のサイズの演算値を求める演算部と、
編地の形状データと編地のサイズの演算値との比較を行い、誤差が小さくなるように、編地の形状データ、デザインデータ、あるいは編成データを修正するデザイン修正部、とをさらに備えている。
【００１０】
この発明のニットデザイン方法では、
出力されるデザインデータあるいは編成データから、編組織により変化する編成後の編地のサイズの演算値をニットデザインシステムの演算部により求め、誤差が小さくなるように、編地の形状データ、デザインデータ、あるいは編成データをニットデザインシステムのデザイン修正部により修正する。
【００１１】
この発明では、編成後の編地のサイズを演算により求める。用いるデータは、デザインデータ、あるいはこれを編機の駆動データに変換した編成データである。これらによって編地の構造が判明する。編目のサイズはゲージから定まり、ゲージを直接用いる代わりに、ゲージの逆数に対応する編目のピッチ等を用いても良い。そして寄せ等に伴う編目間の相互作用により編目の位置が変化する。編目間の相互作用により編目の配置がどのように変化するかを求めると、編成後の編地のサイズを求めることができる。
【００１２】
編地サイズの予測には、所定の弾性率を持つ糸から成り、かつ所定のループ長の編目であることのみを仮定して計算する、力学シミュレーションがあるが、計算量が過大で、処理時間が長い。次に特許文献２，３に記載の、ゲージ等に基づいて、編目の標準的なサイズを仮定し、編目はこのサイズを保ちかつ向きを揃えようとする、等のモデルを仮定する半経験的シミュレーションがある。半経験的シミュレーションに、編目のピッチ等の、編目のサイズに関するデータを追加すると、ユーザを長時間待たせずに編地のサイズを予測できる。しかし短時間で演算することは難しい。これ以外に、図９〜図１３に示す、簡易な演算方法がある。この演算方法では、編目のピッチを仮定すると共に、コース内の編目は互いに揃って移動しようとし、ウェール内の編目も互いに揃って移動しようとすることを仮定する。どの演算方法を用いるかは任意であるが、短時間で演算できることが好ましい。
【００１３】
この発明では、編成後の編地のサイズを演算し、編地の形状を定める形状データとの誤差を小さくするように、デザインを修正する。編地の形状データには、編地サイズの目標値（指示サイズ）、編地の外形データ等がある。誤差を小さくするとは、誤差を解消すること、誤差をほぼ解消すること等を意味する。好ましくは編地の編目のループ長の設定が自在で、デザイン修正部は、編地の形状データと、編目の数と、編目のループ長の少なくともいずれかを修正する。ループ長を変えることは、実質的には編目のサイズ（編目のピッチ）を変えることである。以上のようにして、この発明では、試編み無しで、ほぼ指示サイズ通りの編地が得られるように、編地をデザインできる。なおこの明細書において、ニットデザインシステムに関する記載は、そのままニットデザイン方法にも当てはまる。
【００１４】
好ましくは、表示制御部は、編地の形状データと、デザイン修正部が修正したデザインデータとを、カラーモニタに合成表示すると共に、ニットデザインシステムは、修正したデザインデータをマニュアル入力装置によりユーザが承認すると、修正したデザインを出力すると共に、修正したデザインデータをマニュアル入力装置によりユーザがさらに修正できる。
【００１５】
デザイン修正部が、デザインデータを自動的に修正して、カラーモニタに表示することにより、ユーザの負担が軽減される。そしてユーザは、編地の形状データ、編目の数、あるいは編目のループ長等を変えることにより、編地のサイズを変更すると共に、編地の外形、編組織等を修正して、デザインを改良できる。ここで当初のデザインでの編地の外形と、演算により得られた編地の外形とを重ね合わせて表示すると、編地のどの部分をどの程度修正すればよいかが明瞭になる。好ましくは、上記の重ね合わせ表示の画面と、編地のデザインの修正を入力するための画面の、２画面をカラーモニタに表示し、ユーザがデザインを修正しやすくする。
【００１６】
好ましくは、ニットデザインシステムはさらに、前記出力されるデザインデータと、前記ループ長、及び編機で編成した編地の実測サイズ、を記憶するデータベースを備え、データベースは編地の形状データの入力時あるいはデザインデータの修正時に参照できるように構成されている。
【００１７】
どのようなデザインに対して、どのようなサイズの編地が得られたかが分かると、ユーザはデザインデータの修正、あるいは最初の指示サイズの入力等が容易になる。またどのような個所で、編地が指示サイズからシフトしやすいかが分かると、デザインの修正がさらに容易になる。
【００１８】
好ましくは、前記演算部は、
編地のコースに沿っての編目の位置を表すコース方向のグリッドラインを、コース毎に発生させると共に、
編地のウェールに沿っての編目の位置を表すウェール方向のグリッドラインを、ウェール毎に発生させ、
前記ゲージに対応する、表目と表目、あるいは裏目と裏目が接続されている場合の編目のコース方向のピッチ、及び表目と裏目とが接続されている場合の編目のコース方向のピッチを用いて、ウェール方向のグリッドラインに属する編目のピッチの平均値により、ウェール方向のグリッドラインを変形させると共に、    
前記ゲージに対応する、表目と表目、あるいは裏目と裏目が接続されている場合の編目のウェール方向のピッチ、及び表目と裏目とが接続されている場合の編目のウェール方向のピッチを用いて、コース方向のグリッドラインに属する編目のピッチの平均値により、コース方向のグリッドラインを変形させることにより、
編地のサイズを演算する。
【００１９】
このようにすると、短時間で編地のサイズを予測することができる。
【００２０】
この発明のニットデザインシステムはまた、カラーモニタと、マニュアル入力装置、及びカラーモニタへの表示とマニュアル入力装置からの入力の解釈とを行う表示制御部を備え、
編地の形状を定める形状データ、及び編地のコース方向とウェール方向に沿っての編目のゲージ、及び編組織の入力に基づいて、コース方向及びウェール方向に沿っての、編目の数と、編目の種類、及び編目間の接続関係を指定するデザインデータを出力するニットデザインシステムにおいて、
デザインデータあるいは編成データから，編組織により変化する編成後の編地のサイズの演算値を求める演算部と、
演算により求めた編地のサイズと、入力した編地の形状を定める形状データとをカラーモニタに合成表示する表示制御部と、
マニュアル入力装置とを備え、
ユーザが編地の形状データと編地のサイズの演算値とを比較し、誤差が小さくなるように、マニュアル入力装置により、編地の形状データ、デザインデータ、あるいは編成データを修正できるように構成されている、ことを特徴とする。
【００２１】
このようにすると、所望のサイズになるように、マニュアルにより容易に修正できる。
【００２２】
好ましくは、前記平均がグリッドラインに沿った移動平均で、かつ前記平均はグリッドライン上の位置により変化する。近接した編目には互いの位置を揃えようとする相互作用が働き、遠隔の編目では編目間の相互作用が弱い。そこで移動平均を用いることにより、より的確に編地のサイズを予測できる。
【図面の簡単な説明】
【００２３】
【図１】実施例のニットデザインシステムのブロック図
【図２】実施例での編成データの修正を示す図
【図３】指示サイズから編成データへの流れを示す図
【図４】目数の指定とシミュレーションの支援用のデータを示す図
【図５】シミュレーションの種類と特徴とを示す図
【図６】実施例で用いるデータベースの構成を模式的に示す図
【図７】データベースを参照しての、デザインデータの修正を示す図
【図８】同じパターンデータでの、単純な編地と、複雑な組織を有する編地との、シミュレーション結果の違いを表す図
【図９】変形例での編地の外形サイズの演算アルゴリズムを示すフローチャート
【図１０】変形例での編目のピッチグリッドラインとを示す図
【図１１】変形例での寄せの編目のピッチの演算方法を示す図
【図１２】実施例での他の寄せの編目に対するピッチの演算方法を示す図
【図１３】実施例でのさらに他の寄せの編目に対するピッチの演算方法を示す図
【図１４】実施例での引き伸ばされた編目に対するピッチの演算方法を示す図
【図１５】２×２のケーブル柄に対する、実施例でのグリッドラインの変形を示す図
【図１６】伏目の有るパーツに対する、実施例でのグリッドラインの変形を示す図
【発明を実施するための形態】
【００２４】
以下に、発明を実施するための最適実施例を示す。
【実施例】
【００２５】
図１〜図１６に実施例とその変形とを示し、図１は実施例のニットデザインシステム２を示し、４はバス、６はカラーモニタ、８はマニュアル入力装置で、スタイラス、マウス、キーボード等である。１０はファイル入出力装置で、ＬＡＮインターフェース、ディスクドライブ、外部メモリ等であり、指示サイズ、パターンデータ、ニットのデザインデータ（以下、デザインデータという）、編成データ（編機を駆動するためのデータ）等のファイルを入出力する。１２はカラープリンタ、１４はメモリで、適宜のデータ、データベース、プログラム等を記憶し、これ以外に図示しないＣＰＵが有る。  
【００２６】
ニットデザイン部１６は、マニュアル入力装置８，ファイル入出力装置１０等からの入力に従い、編地のデザインデータを作成する。この間、作成中のデザインをカラーモニタ６に表示し、マニュアル入力装置８からの入力を表示制御部２２により解釈する。またカラーモニタ６への表示等のユーザインターフェースを、表示制御部２２により実現できる。そしてニットデザイン部１６は、デザインデータを横編機等の編機の駆動データ（編成データ）に変換する。
【００２７】
演算部１８は、デザインデータあるいは編成データを元に、編成後の編地のサイズを演算して予測する。デザインデータ等の他に、編目のループ長、あるいは編目のゲージ、ピッチ等の、編目のサイズを表すデータを、演算部１８に入力する。
【００２８】
デザイン修正部２０は、
編地の指示サイズ等の形状データと演算部１８で演算した編地のサイズとを比較する、
あるいは編地の目標形状を表すパターンデータと、演算部１８で演算した編地のサイズとを比較する、
等の処理を行う。これにより、デザインした編地の外形と出来上がりの編地の外形との違いが判明する。デザイン修正部２０は、この誤差を解消するように、編地の指示サイズを変更する、編目の数（以下目数という）を増減する、編目のループ長を変更する等の処理を施す。指示サイズあるいは目数を変更する場合、編地の形状が変化するので、デザイン修正部２０はこれに伴い、編組織の位置を移動する、編目の寄せの位置と個数を変更する、等のデザイン上の処理も行う。さらに身頃のアームホールは、曲線に成ることを意図していても直線状にデザインされることが多いので、曲線状のアームホールに対してデザインデータを修正しない、等のルールに従い、デザインの修正が必要な個所と、そうでない個所とを判別する。デザイン修正部２０が修正したデザインを、必要に応じてニットデザイン部１６により再度処理して、デザインデータ及び編成データへ変換する。
【００２９】
表示制御部２２は、カラーモニタ６への表示を制御すると共に、マニュアル入力装置８からの入力を解釈し、ユーザインターフェースを提供する。
【００３０】
データベース２４は、編地のデザインデータと、編成した編地の実測サイズ等を、検索可能に記憶する。ユーザは、データベース２４を検索することにより、どのようなデザインで、かつどのような条件（編機の種類、糸の種類等）で、どの程度の誤差がデザインデータと実際の編地の間に生じるか、を知ることができる。そしてこの知識を、編地のデザイン、あるいはデザインデータの修正等に利用できる。
【００３１】
図２は、実施例でのデザインの流れを示す。編地の形状データを入力するため、指示サイズ（編地の主要ポイント間の距離等）を入力し、あるいは編地の外形を図形的に入力する。なお編地の形状の入力方法は任意である。ニットデザイン部１６は、ゲージ変換により編地のサイズを目数に変換し、パターンデータとする。なお所定長さ当たりのウェール方向の編目の数とコース方向の編目の数がゲージで、編地のサイズとゲージとが定まると、目数が定まる。パターンデータに対し、リブ、ガータ、タック、ミス、寄せ、伏目、増し目、減らし目等の編組織を入力すると、デザインデータが得られる。そして、デザインデータを編機を駆動するための編成データへ変換する。編目のサイズを指定するため、実施例では例えば編目のピッチ（ゲージの逆数）を用いるが、編目当たりの糸の長さ、即ちループ長も編目のサイズに影響する。そこで編成データにループ長を追加するか、次のシミュレーションでループ長を追加する。指示サイズの入力から、編成データへの変換までは、ニットデザイン部１６により行われる。
【００３２】
デザインデータあるいは編成データを元に、演算部１８は、シミュレーション等により、編成後の編地のサイズを演算により求める。シミュレーション結果から編地の外形を抽出し、編地の形状データとの誤差をデザイン修正部２０で求めて、誤差が小さくなるように編地サイズ等の編地の形状の変更、目数の変更、編地の組織の変更、ループ長の変更等の処理を、デザイン修正部２０で行う。次いで、ニットデザイン部１６により必要なデータを補い、デザインデータとして完成し、編成データに変換し、再度、編成後の編地のサイズを演算する。デザインデータの修正に関する処理は、デザイン修正部２０が、ユーザの指示を待たずに、自動的に行う。なお編地サイズの再演算を省略し、ユーザが要求したときのみ実行しても良い。
【００３３】
演算した編地のサイズと、当初入力した編地の形状データとの誤差が分かるように、例えばシミュレーションした編地の画像と、編地の形状データ等を重ね合わせて、カラーモニタ６に合成表示する。この表示に対して、ユーザが承認すると、編成データあるいはデザインデータを出力する。修正する場合、カラーモニタ６とマニュアル入力装置８により、編地の形状データ、パターンデータ、デザインデータあるいは編成データを修正する。以上の処理により、試編み無しに指示サイズにほぼ合致する編地を編成できる編成データが得られる。
【００３４】
図３に、実施例の各段階での、データの意味を示す。編地の形状データは、指示サイズあるいは編地の外形そのものから成り、指示サイズは編地の主要部のサイズを指定する。パターンデータは、編地の形状データを目数に変換したデータで、コース数とウェール数とを指定する。デザインデータは、パターンデータ中の編目（編目の種類と接続関係は未指定）に対し、編目の種類と接続関係、寄せ等を指定することにより、編組織を指定したものである。デザインデータにより、編地の構造は一意に定まる。デザインデータを編機を駆動できるデータに変換すると、編成データとなる。編成データに、ループ長、編目のピッチ等を追加すると、編地のサイズを演算でき、必要なデータの種類は演算方法により異なる。
【００３５】
図４は、編地のサイズの演算のため、デザインシステム２へ入力するデータを示す。ゲージデータは、平編地（表目のみあるいは裏目のみから成る編地）での、所定の長さ当たりのコース方向の目数とウェール方向の目数である。ゲージデータから、同じ種類の編目が連続する際の、編目のピッチが分かり、これにはコース方向のピッチとウェール方向のピッチとがある。
【００３６】
好ましくは、表目と裏目とが接続されている場合の編目のピッチも、デザインシステム２へ入力する。これにはリブ（コース方向に沿って表目と裏目とが隣接）と、ガータ（ウェール方向に沿って表目と裏目とが隣接）との２種類があり、各々にコース方向のピッチとウェール方向のピッチがある。
【００３７】
また好ましくは、編目が寄せられている、即ちコース方向に沿ってシフトさせられている場合の、編目のコース方向のピッチとウェール方向のピッチを入力する。何目寄せるか（何目シフトさせるか）等の種類があるので、シフトさせる目数に応じて、ピッチを複数種類入力する。表目と裏目とが接続されている場合のピッチ、寄せがある場合のピッチ等は、特許文献１のようにして風合いサンプルを編成する際に、風合いサンプル中にこれらの編組織を含めると、実測できる。またこれらのデータを入力せずに、ゲージデータから、適当なモデルを用いて、演算部１８内で求めても良い。  
【００３８】
編地の構造以外に、編目の目標ループ長が、編地のサイズを左右する。ループ長は、平編、リブ、ガータ等の編組織毎に、指定する。なお同種の編目でも、編地内の位置により、ループ長を変えても良い。これらのデータが豊富に入力されるほど、編地サイズの予測が容易になり、入力データが少ないと、力学モデルに頼ることになるので、計算量が増加する。
【００３９】
図５は、編地のサイズを演算するための方法を示す。力学シミュレーションでは、編目のループ長、弾性率により、編成データに従って編成した編地が、どのような形状になるかを、シミュレーションする。力学シミュレーションは、一般に計算量が過大である。半経験的シミュレーションの例が、特許文献２，３に記載されている。半経験的シミュレーションは、長時間ユーザを待たせることはないが、短時間で編地のサイズを予測できるとは言いにくい。グリッドモデルは図１０〜図１６に示すもので、短時間で編地のサイズを予測できる。これらのいずれを用いるかは、ニットデザインシステム２の計算力に依存する。
【００４０】
図６に、データベース２４の構成を示す。データ３０は、編地のデザイン毎に、修正前のデザインデータ、及びもし有れば修正後のデザインデータと、糸の種類、編機の種類等の編成条件、編成した編地の実測サイズ、検索用のキーワードなどを記憶する。編地のサイズを実測することは、量産前に通常に行われていることである。また検索用キーワードには、デザインデータ、あるいは編地の写真等をサムネール画像として、含めることが好ましい。検索エンジン３２は、サムネール画像等をカラーモニタ６に表示し、マニュアル入力装置８からのキーワード入力、あるいはサムネール画像の選択により、選ばれたデータ３０を、カラーモニタ６に表示する。  
【００４１】
図７に示すように、データベース２４を用いると、類似のデザインの編地を検索し（ステップS1）、修正前のデザインと修正後のデザイン、及び実測したサイズ等から、編地のサイズが指示サイズからどのように変化しやすいかを把握できる。また編地のどの位置で変化が生じやすいかも把握できる。そこでこれらの情報を、デザインデータの修正等に利用する（ステップS2）ことにより、より的確にほぼ指示サイズ通りのサイズとなる編地をデザインできる。
【００４２】
図８では、編地の形状データ（外枠）と、平編地（薄色の大きな編地で、表目をベースとする編地で、成型のための寄せや伏目等の編組織を含む）と、ケーブル等の編組織を有する編地（やや濃色のやや小さな編地）とを重ねて表示している。これらの編地の指示サイズとパターンデータは同一で、相違点は編組織である。またいずれも半経験的シミュレーションによる画像である。編組織を追加すると、編地は形状が変化する。例えば表目ベースの平編地であっても、成型のために寄せや伏目を入れることにより、編地の形状データに比べ、編地の幅方向（コース方向）に縮む。さらにケーブル等の編組織を身頃等の編地内に入れると、より編地は編幅方向に縮む傾向にある。本発明では編地の形状データと演算した編地サイズとの誤差を無くすように、デザイン修正、編地サイズ等の編地形状の変更、目数の変更、編地編組織の変更等を行う。そして実施例では、編成後の編地サイズを予測できるので、試編無しでほぼ指示サイズ通りの編地を編成できる。
【００４３】
変形例
本発明では、短時間で編地のサイズを演算できることが重要である。編目はコース方向とウェール方向とに接続されているので、編目の形状は周囲の編目の影響を受けて変化する。周囲の編目の影響を盛り込み、かつ短時間で、繰り返し計算無しに、編地の外形サイズを求めるための処理を、図１０〜図１６に示す。また編地サイズの演算に絞って、変形例を説明する。これらの処理は演算部１８で実行する。
【００４４】
図９のステップS11で、指示サイズ等を基に編地の形状データを定め、ステップS12で、ゲージを基に編地の形状データを目数に変換しパターンデータとする。ステップS13で、編組織、編目の種類等を追加し、デザインデータとする。そしてステップS14で、デザインデータを編成データに変換する。
【００４５】
ステップS15で、表−裏間ピッチ及び寄せピッチに基づき、コース方向のグリッドラインとウェール方向のグリッドラインを変形させ、より現実的な編目の位置を求める。ステップS16では、求めた編目の位置に基づき、編地の外形サイズを演算する。
【００４６】
グリッドラインのモデルを、図１０に破線で示す。コースc1〜c4とウェールw1〜w5が表示され、ウェールw1〜w3は表目、ウェールw4，w5は裏目で、コース番号をjで、ウェール番号をiで示す。各コースc1〜c4及び各ウェールw1〜w5での、編目が配置されている直線あるいは曲線が、グリッドラインである。また編地の起点を、例えば図１０の左下に置く。ウェールw2−w1間のピッチは、ウェールw2の４個の編目（j＝1〜4）のx方向ピッチxpjの平均とする。コースc1−c2間のピッチは、コースc2の５個の編目（i＝1〜5）のy方向ピッチypiの平均とする。即ち、編目を単独で移動させずに、編目が属するコース方向とウェール方向とのグリッドラインを変形し、変形には各編目のピッチの平均値あるいは移動平均を用いる。なおウェールw1−w2，w4−w5等のピッチは、ゲージで定まるピッチに等しい。またコースc1−c2のピッチは、表目−表目のピッチ×３と、裏目−裏目のピッチ×２の、重み付きの平均で、重みはそのピッチとなる編目の数である。さらにコースc1−c2〜c3−c4のピッチは共通である。グリッドラインを定めるデータは、例えばグリッドラインの交点（編目）の座標の配列であり、グリッドラインの変形とは編目の座標を移動させることである。
【００４７】
短いグリッドラインは直線に近く、長いグリッドラインは直線から外れるのが自然である。言い換えると、１個の編目のピッチは、遠く離れた編目の配置に僅かしか影響しないはずである。そこで編目の位置が直線上に揃う程度の編目数で平均する、移動平均が好ましい。
【００４８】
図１１に寄せのピッチの演算を示し、風合いサンプルに寄せの編目が含まれている場合は、測定値を用いる。編目のサイズ自体は寄せで変化しないものとし、表目−表目のピッチあるいは表目−裏目のピッチに対応する標準的なピッチをｘp、ｙp（以下同様）として、サイズ（ｘp２＋ｙp2）１／２  は変化しないものとする。そして編目の基端等の基準位置を中心に円７３に沿って、編目７１を編目７２へと回転させる。なお寄せピッチを求めるためのモデルは他にも考えられ、モデルとピッチの近似方法は任意である。  
【００４９】
図１２，図１３に、寄せの編目に対するピッチの演算方法を補足して示す。寄せられた編目に対して、ピッチが縮む方向のみを対象とし、図１２の●は編目の起点を、○は先端を示し、ウェール3-4におけるこの編目のピッチを考える。aを寄って来る前の編目の先端位置、a’を寄って来た後の位置とする。位置a'がウェール３上にある時、この編目のウェール3-4でのピッチを０とする。位置a'に対し、ｘ，ｙを図１２のように定義すると、この編目のウェール3-4におけるピッチは-ｘp＋ｘ（ｘpは標準ピッチ）となり、コース2-3におけるピッチはｙとなる。次に位置a’は基端と位置aとを結ぶ線上に有り、位置a'と基端との距離はｙpに等しいとすると、ｘ，ｙが定まる。図１３は、他の編目に対する同様の演算例を示す。
【００５０】
図１４は、引き伸ばされた編目のピッチの考え方を示し、この編目の先端は位置bから位置b'へ収束するとする。コース3-4におけるこの編目のピッチを考えると、先端の位置b'がJ=3のグリッドライン上にあるときピッチを０とする。先端の位置b'はj=2のグリッドライン上に収束するので、コース3-4におけるピッチは−ｙpとする。
【００５１】
図１２，図１３のモデルを用いると、図１５におけるコース間のピッチとウェール間のピッチを演算できる。図のコース１等は、コース1-2間等のピッチを表す。またa-dは編目の記号である。なおウェール2-3におけるピッチ（ｘp＋ｘp−（ｘp−ｘpa）＋ｘp）／４  は、ピッチｘpの編目が２個有り、編目aはピッチが−（ｘp−ｘpa）となり、編目cの基端がピッチｘp分の寄与をしていると考えて求めた。ただし演算方法の詳細は適宜に変更できる。    
【００５２】
図１４のモデルと図１２等のモデルとを用いると、図１６におけるピッチを演算できる。コース3-4におけるピッチを  （２ｙpa＋０）／３  とするのは、編目a、及びこれと同じ形状の編目の寄与が２ｙpaで、編目eは、先端がj=3のグリッドライン上に収束しようとするのでピッチへの寄与は０である。同様にしてコース4-5等におけるピッチも演算できる。ウェール1-2におけるピッチは、通常の編目が２目で寄与が２ｘp、編目aの寄与がｘpaで、平均すると  （２ｘp＋ｘpa）／３  となる。
【００５３】
このようにして各編目のコース方向とウェール方向のピッチを求め、破線で示すグリッドライン毎に平均すると、変形後のグリッドラインの位置が定まる。なお図１５，図１６では単純平均を示しているが、グリッドラインが長い場合、移動平均が好ましい。
【００５４】
以上のように、寄せを伴う場合のピッチは、
・  風合いサンプルから測定する
・  図１２，図１３，図１４のモデルをそのままあるいは修正して用いる、ことにより求めることができる。これらのピッチは、ピッチ記憶部１７に記憶するか、その都度、グリッドライン変形部１９で演算して求める。またミス及びタックは、グリッドラインの変形に関係しないとするが、適当なモデルを別に定めても良い。そしてグリッドラインがどのように変形するかが判明すると、編目の位置が求まる。この処理は繰り返し演算無しで、短時間で実行できるので、編地の外形サイズを短時間で求めることができる。
【００５５】
実施例及び変形例では、以下の効果が得られる。
1)  編成後の編地のサイズを、演算部１８により試編み無しで予測できる。
2)  指示サイズ等との誤差を解消するように、デザイン修正部２０によりデザインデータ等を修正する。
3)  デザイン修正部２０が修正したデザインを、ユーザが承認あるいは編集できる。
4)  データベース２４により、どのようなデザインとどのような編成条件で、どのような個所に、どの程度の形状誤差が生じるか、を検索できる。
5)  図９〜図１３の処理では、短時間で編地のサイズを演算できるので、デザイン修正が容易になる。
【００５６】
なお編糸を複数種類用いるデザインでも、編地の一部で他とはループ長が変化するデザインでも、同様に対応できる。また編地サイズの予測のために入力するデータの種類は任意である。編機は横編機に限らず、丸編機等の他の編機でも良い。
【符号の説明】
【００５７】
２          ニットデザインシステム
４          バス
６          カラーモニタ
８          マニュアル入力装置
１０        ファイル入出力装置
１２        カラープリンタ
１４        メモリ
１６        ニットデザイン部
１７        ピッチ記憶部
１８        演算部
２０        デザイン抽出部
２２        表示制御部
２４        データベース
３０        データ
３２        検索エンジン
c1〜c5      コース
w1〜w5      ウェール
ｘp         ウェール方向の標準ピッチ
ｙp         コース方向の標準ピッチ
【図１】
2015175082.tif 000003
【図２】
2015175082.tif 000004
【図３】
2015175082.tif 000005
【図４】
2015175082.tif 000006
【図５】
2015175082.tif 000007
【図６】
2015175082.tif 000008
【図７】
2015175082.tif 000009
【図９】
2015175082.tif 000010
【図１０】
2015175082.tif 000011
【図１１】
2015175082.tif 000012
【図１２】
2015175082.tif 000013
【図１３】
2015175082.tif 000014
【図１４】
2015175082.tif 000015
【図１５】
2015175082.tif 000016
【図１６】
2015175082.tif 000017
【図８】
2015175082.tif 000018